【手続補正書】
【提出日】平成27年10月30日(2015.10.30)
【手続補正１】
【補正対象書類名】図面
【補正対象項目名】図１２
【補正方法】変更
【補正の内容】
【図１２】
2015122743.tif 000001
【手続補正２】
【補正対象書類名】図面
【補正対象項目名】図１３
【補正方法】変更
【補正の内容】
【図１３】
2015122743.tif 000002
【手続補正３】
【補正対象書類名】図面
【補正対象項目名】図１５
【補正方法】変更
【補正の内容】
【図１５】
2015122743.tif 000003
【手続補正４】
【補正対象書類名】図面
【補正対象項目名】図１６
【補正方法】変更
【補正の内容】
【図１６】
2015122743.tif 000004
【手続補正５】
【補正対象書類名】明細書
【補正対象項目名】００５１
【補正方法】変更
【補正の内容】
【００５１】
●●７）蛇足ながら『Ｂｅｙｏｎｄ  ｔｈｅ  ＣＭＯＳ』ということで、量子素子など各種の新素子が提案されて来たが、☆☆☆ＣＭＯＳも進化する！！！  ☆☆☆ＣＭＯＳは３次元ＩＣ、多値、新概念コンピューターに向かって進化する！！！
→→  後述する段落番号［０２６２〜０２６８］。
多値（論理）回路を用いるとなると、必ずフージ代数を使う必要が出て来る。なぜなら、フージ代数がそれらの実用化を土台からしっかり支える能力を有している、からである。そして、光回路の光源にＣＭＯＳ互換技術が既に活用されているが、光回路が多値化に向かうのであれば、この場合も必ずフージ代数を使う必要が出て来る。
→→  後述する段落番号［０２５２〜０２５９］。
そのＣＭＯＳ進化の１具体例が図２２中の「トランジスタ３、５を組み合わせた双方向性スイッチ」又は「トランジスタ３、５、２２〜２５（とダイオード３６）を組み合わせた双方向性スイッチング手段」である。
→→  下記・特許文献６（特開２００６−２５２７４２号）。
その別の１例が下記・特許文献８（特開２００７−０３５２３３号）の図１５の多値メモリーである。
しかも、たとえ、ある回路が完全なＣＭＯＳ構造でなくても、その回路全体で電力消費が根本的に少なければ、全く問題が無い。例えばプル・アップ抵抗やプル・ダウン抵抗を使う場合であっても、その回路中において「その動作中オン状態にあって、プル・アップ（又はプル・ダウン）抵抗をプルするＭＯＳ・ＦＥＴ等の総数が常に少なく」、「その動作中そのオン・オフが切り換わるＭＯＳ・ＦＥＴ等の総数も常に少ない」回路の場合である。後述する入出力パターン記憶型（又は関数記憶型あるいはリザルト記憶型あるいはプリザルト記憶型）１０進法コンピューターではそうなると予測される。
→→  後述する段落番号［０２６２〜０２６８］。
一方、現在のＣＰＵ等はＣＭＯＳ回路の塊（かたまり）であるにもかかわらず、「高いスイッチング周波数でオン・オフが切り換わるＭＯＳ・ＦＥＴ等」の総数が極めて多い為に、「その各貫通電流による電力損失を含む、その総スイッチング損失」と「その各ゲート・ソース間静電容量などの充放電に伴う総電力損失」などにより、そのＣＰＵ等はヒーターみたいになっているのが現状である。
【特許文献６】特開２００６−２５２７４２号（双方向性スイッチング手段、多値バッファー手段、多値記憶手段。）
【特許文献８】特開２００７−０３５２３３号（多値デコーディング手段、多値情報処理手段など。）
【手続補正６】
【補正対象書類名】明細書
【補正対象項目名】００７８
【補正方法】変更
【補正の内容】
【００７８】
正しく言えば、上記の「軽く越えることができる（！！！）」と言うよりは正反対に、その多値数Ｎ（≧２）がいくつであっても、「プログラミングによる情報処理の種類数」は絶対に「その桁数も活用して表現することができる論理関数の種類数」を超えることはできない。
Ｅｘａｃｔｌｙ  ｓｐｅａｋｉｎｇ，‘ｔｈｅ  ｎｕｍｂｅｒ  ｏｆ  ｔｈｅ  ｋｉｎｄｓ  ｏｆ  ｔｈｅ  ｉｎｆｏｒｍａｔｉｏｎ−ｐｒｏｃｅｓｓｉｎｇ  ｂｙ  ｔｈｅ  ｐｒｏｇｒａｍｉｎｇ’  ｃａｎ  ●ａｂｓｏｌｕｔｅｌｙ  ｎｏｔ  ｅｘｃｅｅｄ  ‘ｔｈｅ  ｎｕｍｂｅｒ  ｏｆ  ｔｈｅ  ｋｉｎｄｓ  ｏｆ  ｔｈｅ  ｌｏｇｉｃ−ｆｕｎｃｔｉｏｎ  ｔｏ  ｂｅ  ａｂｌｅ  ｔｏ  ｅｘｐｒｅｓｓ  ｂｏｔｈ  ‘ｂｙ  ｉｎｃｒｅａｓｉｎｇ  ｉｔｓ  ｍｕｌｔｉｖａｌｕｅ−ｎｕｍｂｅｒ“Ｎ（≧２）”  ’  ａｎｄ  ‘ｂｙ  ｕｔｉｌｉｚｉｎｇ  ｉｔｓ  ｎｕｍｂｅｒ  ｏｆ  ｔｈｅ  ｆｉｇｕｒｅｓ’，ｅｖｅｎ  ｉｆ  ｔｈｅ  ｍｕｌｔｉｖａｌｕｅ  ｎｕｍｂｅｒ‘Ｎ（≧２）’  ｉｓ  ａｎｙ  ｎｕｍｂｅｒ．
【手続補正７】
【補正対象書類名】明細書
【補正対象項目名】００７９
【補正方法】変更
【補正の内容】
【００７９】
その理由は次の通りである。「プログラムによる情報処理」においても、その情報処理の過程に関係無く、その「データ又は情報」の出入りだけからその情報処理手段としての機能内容を判別することができる。
Ｔｈｅ  ｒｅａｓｏｎ  ｉｓ  ａｓ  ｔｈｅ  ｆｏｌｌｏｗｉｎｇ．Ｔｏｏ  ｉｎ  ｔｈｅ  ｉｎｆｏｒｍａｔｉｏｎ−ｐｒｏｃｅｓｓｉｎｇ  ｂｙ  ｔｈｅ  ｐｒｏｇｒａｍｉｎｇ，ｉｔ’ｓ  ｐｏｓｓｉｂｌｅ  ｔｏ  ｄｉｓｃｒｉｍｉｎａｔｅ  ｗｈａｔ  ｋｉｎｄ  ｏｆ  ｗｏｒｋｉｎｇ  ｉｔｓ  ｉｎｆｏｒｍａｔｉｏｎ−ｐｒｏｃｅｓｓｉｎｇ−ｍｅａｎｓ  ｄｏ  ‘ｔｈｒｏｕｇｈ  ｏｎｌｙ  ｉｎｐｕｔ−＆−ｏｕｔｐｕｔ  ｏｆ  ｉｔｓ  ｄａｔａ−ｏｒ−ｉｎｆｏｒｍａｔｉｏｎ’  ｗｉｔｈ  ｎｏ  ｒｅｌａｔｉｏｎ  ｔｏ  ｈｏｗ  ｔｈｅ  ｉｎｆｏｒｍａｔｉｏｎ−ｐｒｏｃｅｓｓｉｎｇ  ｈａｓ  ｂｅｅｎ  ｄｏｎｅ．
そして、その「個々の各入力『データ又は情報』」も「これに対する個々の情報処理結果」も必ずすべて数字の組合せ、そう！つまり真理値表で表現することができるので、その情報処理の種類数は絶対に「その真理値表で表現することができる論理関数の種類数」を超えることはできない。
Ａｎｄ  ｉｔ’ｓ  ｐｏｓｓｉｂｌｅ  ｔｏ  ｅｘｐｒｅｓｓ  ｃｅｒｔａｉｎｌｙ  ｂｏｔｈ  ‘ａｌｌ  ｔｈｅ  ｉｎｐｕｔ−ｄａｔａ−ｏｒ−ｉｎｐｕｔ−ｉｎｆｏｒｍａｔｉｏｎ’  ａｎｄ  ‘ａｌｌ  ｔｈｅ  ｉｎｆｏｒｍａｔｉｏｎ−ｐｒｏｃｅｓｓｉｎｇ−ｒｅｓｕｌｔｓ  ｆｏｒ  ｔｈｅｉｒ  ｄａｔａ−ｏｒ−ｉｎｆｏｒｍａｔｉｏｎ’  ｂｙ  ｃｏｍｂｉｎａｔｉｏｎｓ  ｏｆ  ｎｕｍｅｒｉｃａｌ  ｖａｌｕｅｓ．
Ｓｏ！！！  Ｔｈａｔ  ｉｓ，ｂｅｃａｕｓｅ  ｔｈｅ  ｃｏｍｂｉｎａｔｉｏｎｓ  ｔｏｏ  ｃａｎ  ｂｅ  ｅｘｐｒｅｓｓｅｄ  ｂｙ  ａ  ｔｒｕｔｈ  ｔａｂｌｅ，‘ｔｈｅ  ｎｕｍｂｅｒ  ｏｆ  ｔｈｅ  ｋｉｎｄｓ  ｏｆ  ｔｈｅ  ｉｎｆｏｒｍａｔｉｏｎ−ｐｒｏｃｅｓｓｉｎｇ  ｂｙ  ｔｈｅ  ｐｒｏｇｒａｍｉｎｇ’  ｃａｎ  ●ａｂｓｏｌｕｔｅｌｙ  ｎｏｔ  ｅｘｃｅｅｄ  ‘ｔｈｅ  ｎｕｍｂｅｒ  ｏｆ  ｔｈｅ  ｋｉｎｄｓ  ｏｆ  ｔｈｅ  ｌｏｇｉｃ−ｆｕｎｃｔｉｏｎ  ｔｏ  ｂｅ  ａｂｌｅ  ｔｏ  ｅｘｐｒｅｓｓ  ｂｙ  ｔｈｅ  ｔｒｕｔｈ  ｔａｂｌｅ’．●Ａｂｓｏｌｕｔｅｌｙ  ｎｏｔ．
しかも、「プログラミングによって編み出され、人の役に立ち、実際に使用する情報処理」の種類数は、いくらなんでも、１０の１００乗・種類も有るとは思えない。
Ｉｎ  ａｄｄｉｔｉｏｎ，ｔｈｅ  ｐｒｅｓｅｎｔ  ｉｎｖｅｎｔｏｒ  ｄｏｅｓｎ’ｔ  ｔｈｉｎｋ  ｔｈｅｒｅ  ａｒｅ  ｔｈｅ  １０１００ｋｉｎｄｓ  ｏｆ  ｔｈｅ  ｉｎｆｏｒｍａｔｉｏｎ−ｐｒｏｃｅｓｓｉｎｇ  ｗｈｉｃｈ  ａｒｅ  ｍａｄｅ  ｂｙ  ｔｈｅ  ｐｒｏｇｒａｍｉｎｇ，ｕｓｅｆｕｌ  ｔｏ  ｈｕｍａｎ  ａｎｄ  ｕｓｅｄ  ｉｎ  ｐｒａｃｔｉｃｅ’．
【特許文献８】特開２００７−０３５２３３号の段落番号［００２９〜００３３］■  Ｐａｔｅｎｔ−ｄｏｃｕｍｅｎｔ−８  ■  ＪＰ２００７−０３５２３３Ａ  →→  ｍｉｎｕｔｅｌｙ  ｅｘｐｌａｉｎｅｄ  ａｔ  ‘ｐａｒａｇｒａｐｈ  ｎｕｍｂｅｒ  ００２９〜００３３’.